(57)【要約】【課題】シュラウド間のクリアランスから漏洩する流体を低減する。【解決手段】ロータ本体から径方向に延びるように取り付けられる動翼１８の翼端に固定されて、周方向に互いに隣接して配置されるシュラウド本体２２を備え、シュラウド本体２２は、隣り合うシュラウド本体２２同士で互いに当接する当接端面、及び、当接端面に連なり隣り合うシュラウド本体２２同士でクリアランス３２を介して対向する対向面３４を有する周方向端面２７，２８と、対向面３４に沿って延びるように形成されて径方向外側に突出する凸部４０を有する外周面２４と、を有するシュラウド。【選択図】図３
2015175247.tif 000002
【特許請求の範囲】
【請求項１】
ロータ本体から径方向に延びるように取り付けられる動翼の翼端に固定されて、周方向に互いに隣接して配置されるシュラウド本体を備え、
前記シュラウド本体は、
隣り合うシュラウド本体同士で互いに当接する当接端面、及び、前記当接端面に連なり隣り合うシュラウド本体同士でクリアランスを介して対向する対向面を有する周方向端面と、
前記対向面に沿って延びるように形成されて径方向外側に突出する凸部を有する外周面と、を有することを特徴とするシュラウド。
【請求項２】
前記凸部は、前記外周面のうち、前記動翼の回転方向の最も前方側に設けられていることを特徴とする請求項１に記載のシュラウド。
【請求項３】
前記クリアランスは、前記当接端面側において、前記対向面間の距離が大きくなるように形成され、前記凸部は、前記当接端面側において前記外周面からの突出量が大きくなるように形成されていることを特徴とする請求項１又は請求項２に記載のシュラウド。
【請求項４】
前記凸部は、径方向から見て、前記クリアランスの径方向外周側の少なくとも一部を覆う庇部を有することを特徴とする請求項１に記載のシュラウド。
【請求項５】
前記凸部は、一対の対向面のうち、前記動翼の取り付け位置に近い方の対向面に対して連続して形成されていることを特徴とする請求項４に記載のシュラウド。
【請求項６】
ロータ本体から径方向に延びるように取り付けられる動翼である翼本体と、請求項１から請求項５のいずれか一項に記載のシュラウドと、を有することを特徴とする動翼体。
【請求項７】
請求項６に記載の動翼体を備える回転機械。
【発明の詳細な説明】
【技術分野】
【０００１】
本発明は、回転機械の動翼の翼端に固定されているシュラウド、このシュラウドを有する動翼体、及び回転機械に関する。
【背景技術】
【０００２】
近年、ガスタービンの高温、高効率化が進み、これに伴ってタービン動翼の翼高さも増加（長翼化）傾向にある。このような動翼では、翼高さの増加に伴って振動数が低下することで、フラッターなどの不安定な振動が発生する可能性が高まる。
【０００３】
そこで、各タービン動翼を構成する翼本体の先端にチップシュラウドが配され、固有振動数及び構造減衰を増加させることで振動の発生を抑えている。このようなタービン動翼において、翼端漏れを低減するために、また、振動の減衰を得るために、隣接するチップシュラウド同士は接触させている。ただし、不均一な接触や角部の応力集中による破損を回避するため、隣接するチップシュラウド同士接触させないように隙間を設けている部分もある（例えば、特許文献１参照）。
【先行技術文献】
【特許文献】
【０００４】
【特許文献１】特開平１０−３１７９０５号公報
【発明の概要】
【発明が解決しようとする課題】
【０００５】
ところで、上述した隙間を介して、主流から、チップシュラウドの径方向外周側のキャビティに燃焼ガスが漏洩することによって損失となり、タービンの性能が低下することが課題となっている。
【０００６】
この発明は、ロータ本体から径方向に延びるように取り付けられる動翼の翼端に固定されて、周方向に互いに隣接して配置されるシュラウドにおいて、シュラウド間のクリアランスから漏洩する流体を減少させることを目的とする。
【課題を解決するための手段】
【０００７】
本発明の第一の態様によれば、シュラウドは、ロータ本体から径方向に延びるように取り付けられる動翼の翼端に固定されて、周方向に互いに隣接して配置されるシュラウド本体を備え、前記シュラウド本体は、隣り合うシュラウド本体同士で互いに当接する当接端面、及び、前記当接端面に連なり隣り合うシュラウド本体同士でクリアランスを介して対向する対向面を有する周方向端面と、前記対向面に沿って延びるように形成されて径方向外側に突出する凸部を有する外周面と、を有することを特徴とする。
【０００８】
このような構成によれば、シュラウド外周側の流体が、凸部によって堰き止められ淀みが生じる。これにより、クリアランスの径方向外周側の出口において圧力が上昇し、当該箇所を流れる流体が流れにくくなる。即ち、クリアランスから漏洩する流体が減少する。
【０００９】
上記シュラウドにおいて、前記凸部は、前記外周面のうち、前記動翼の回転方向の最も前方側に設けられている構成としてもよい。
このような構成によれば、前記淀みによる圧力上昇がクリアランス出口の直近で発生し、クリアランスから漏洩する流体を一層低減できる。
【００１０】
上記シュラウドにおいて、前記クリアランスは、前記当接端面側において、前記対向面間の距離が大きくなるように形成され、前記凸部は、前記当接端面側において前記外周面からの突出量が大きくなるように形成されている構成としてもよい。
【００１１】
このような構成によれば、凸部の形状を最適化することができる。即ち、クリアランスの大きさに応じた高さを有する凸部とすることができる。
【００１２】
上記シュラウドにおいて、前記凸部は、径方向から見て、前記クリアランスの径方向外周側の少なくとも一部を覆う庇部を有する構成としてもよい。
このような構成によれば、クリアランスから漏洩する流体が庇部に当接することによって、直接的に漏洩する流体を低減することができる。
【００１３】
上記シュラウドにおいて、前記凸部は、一対の対向面のうち、前記動翼の取り付け位置に近い方の対向面に対して連続して形成されている構成としてもよい。
このような構成によれば、遠心力による曲げ荷重の増加を最小限としたシュラウドを形成することができる。
【００１４】
本発明の第二の態様によれば、動翼体は、ロータ本体から径方向に延びるように取り付けられる動翼である翼本体と、前記シュラウドと、を有する。
【００１５】
また、本発明は、前記動翼体を備える回転機械を提供する。
【発明の効果】
【００１６】
本発明によれば、ロータ本体から径方向に延びるように取り付けられる動翼の翼端に固定されて、周方向に互いに隣接して配置されるシュラウドにおいて、シュラウド間のクリアランスから漏洩する流体を減少させることができる。
【図面の簡単な説明】
【００１７】
【図１】本発明の第一実施形態のガスタービンの概略構成図である。
【図２】本発明の第一実施形態のタービン翼をタービンの径方向外周側から見た図である。
【図３】図２のＡ−Ａ断面図であり、本発明の第一実施形態の凸部の断面形状を示す図である。
【図４】図２のＢ−Ｂ断面図であり、本発明の第一実施形態の凸部の高さについて説明する図である。
【図５】本発明の第一実施形態の変形例の凸部の断面形状を示す図である。
【図６】本発明の第一実施形態の変形例の凸部の断面形状を示す図である。
【図７】本発明の第二実施形態の凸部の断面形状を示す図である。
【図８】本発明の第二実施形態の変形例の凸部の断面形状を示す図である。
【発明を実施するための形態】
【００１８】
以下、本発明の実施形態の回転機械であるガスタービン１について図面を参照して詳細に説明する。図１は、本発明の実施形態のガスタービン１の概略図である。
図１に示すように、ガスタービン１は、外気を圧縮して圧縮空気を生成する圧縮機２と、燃料を圧縮空気中で燃焼させて燃焼ガスを生成する燃焼器３と、高温高圧の燃焼ガスにより駆動するタービン４と、を備えている。
なお、以下の説明においては、特に言及しない限り、圧縮機２、タービン４の軸方向を単に軸方向と、圧縮機２、タービン４の周方向を単に周方向と、圧縮機２、タービン４の径方向を単に径方向という。
【００１９】
圧縮機２は、圧縮機ロータ６と、圧縮機ロータ６を覆う圧縮機ケーシング７と、を有している。圧縮機ロータ６は、回転中心軸を中心として回転する圧縮機ロータ軸部８と、圧縮機ロータ軸部８の外周に、軸方向に間隔をあけて固定されている複数の圧縮機動翼群９と、を有している。
各々の圧縮機動翼群９は、圧縮機ロータ軸部８の外周に周方向に互いに等しい間隔をあけて配列されている複数の圧縮機動翼１０を有して構成されている。複数の圧縮機動翼１０は、圧縮機ケーシング７の内周面に向けて延設されている。
【００２０】
圧縮機ケーシング７の内周側には、軸方向に間隔をあけて固定されている複数の圧縮機静翼群１１が設けられている。各々の圧縮機静翼群１１は、圧縮機ケーシング７の内面に、周方向に互いに等しい間隔をあけて配列されている複数の圧縮機静翼１２を有して構成されている。複数の圧縮機静翼１２は、圧縮機ロータ軸部８側に向けて延設されている。
圧縮機静翼群１１と圧縮機動翼群９は、圧縮機ケーシング７内において軸方向に沿って交互になるように多段配置されている。
【００２１】
タービン４は、圧縮機ロータ６と一体回転するように連結されたタービンロータ１４と、タービンロータ１４を覆うタービンケーシング１５とを有している。タービンロータ１４は、回転中心軸を中心として回転するタービンロータ軸部１６（ロータ本体）と、タービンロータ軸部１６の外周に、軸方向に間隔をあけて固定されている複数のタービン動翼群１７と、を有している。
各々のタービン動翼群１７は、タービンロータ軸部１６の外周に周方向に互いに等しい間隔をあけて配列されている複数のタービン動翼１８（動翼体）を有して構成されている。複数のタービン動翼１８は、タービンケーシング１５の内周面に向けて延設されている。
【００２２】
タービンケーシング１５の内周側には、軸方向に間隔をあけて固定されている複数のタービン静翼群１９が設けられている。各々のタービン静翼群１９は、タービンケーシング１５の内面に、周方向に互いに等しい間隔をあけて配列されている複数のタービン静翼２０を有して構成されている。複数のタービン静翼２０は、タービンロータ軸部１６側に向けて延設されている。
タービン静翼群１９とタービン動翼群１７は、タービンケーシング１５内において軸方向に沿って交互になるように多段配置されている。
タービンロータ１４には、例えば、このタービンロータ１４の回転で発電する発電機が接続されている。
【００２３】
複数段のタービン動翼群１７のうち、少なくとも一段のタービン動翼群１７を構成する複数のタービン動翼１８の各々は、翼本体２１と、翼本体２１の翼端に固定されたチップシュラウド２２と、を有している。各々のチップシュラウド２２は、周方向に隣接するとともに一部が当接するように配置されている。即ち、チップシュラウド２２は、周方向に隣接する他のガスタービン１動翼に配されたチップシュラウド２２と連接され互いに押圧しあっている。
【００２４】
図２及び図３に示すように、チップシュラウド２２は、タービン動翼１８の回転時に発生することのある振動を相互に抑制するようにした、板状の部材であり、各々のタービン動翼１８の径方向外周側に、翼本体２１と一体に設けられている。
なお、図示は省略するが、翼本体２１の径方向内側には、翼本体２１から張り出すように設けられたプラットフォームと、プラットフォームからさらに径方向内側に突出する翼根が設けられている。この翼根がタービンロータ軸部１６の外周面に取り付けられることで、タービン動翼１８がタービンロータ軸部１６に一体に固定される。
【００２５】
図２に示すように、翼本体２１は、軸方向に沿って燃焼ガス流れ方向Ｆの上流側となる前縁から下流側となる後縁にかけて周方向一方側（タービンロータ１４の回転方向Ｒ前方側、図２の下側）へ凸となるように湾曲して形成された翼形状の断面を有している。この断面形状は、燃焼ガス流れ方向Ｆの下流側、図２の右側）に向かうに従って周方向他方側（タービンロータ１４の回転方向Ｒ後方側、図２の上側）に向かうように延在する翼形状とされている。
【００２６】
図３に示すように、チップシュラウド２２は、径方向に所定の厚みを有する板状をなしており、翼本体２１の径方向外側において周方向に張り出すように翼本体２１に対して一体に固定されている。チップシュラウド２２における径方向外側を向く面は、チップシュラウド２２の外周面２４とされている。
【００２７】
チップシュラウド２２においては、上流側である軸方向一方側（燃焼ガス流れ方向Ｆの上流側、図２の左側）を向き周方向に沿って延びる面が上流側端面２５とされ、下流側である軸方向他方側を向き周方向に沿って延びる面が下流側端面２６とされている。
また、チップシュラウド２２における周方向一方側であって回転方向Ｒ前方側を向く面が第一周方向端面２７とされ、周方向他方側であって回転方向Ｒ後方側を向く面が第二周方向端面２８とされている。
【００２８】
隣接したチップシュラウド２２同士の間には、運転時におけるチップシュラウド２２の変形を考慮して設けられた上流側の第一隙間３１と下流側の第二隙間３２とからなる二つの微小な隙間３１，３２（クリアランス）が設けられている。
第一隙間３１と第二隙間３２とは、翼本体２１の翼弦方向と略平行に、かつ、第一隙間３１がタービンロータ１４の回転方向Ｒの後方側にオフセットするように設けられている。
【００２９】
第一周方向端面２７と第二周方向端面２８は、第一隙間３１を介して対向する面である第一対向面３３（３３ａ，３３ｂ）と、第二隙間３２を介して対向する面である第二対向面３４（３４ａ，３４ｂ）と、第一対向面３３と第二対向面３４との間に配されて互いに当接する当接端面３５と、を有している。
【００３０】
当接端面３５は、第一隙間３１と第二隙間３２との間で隙間の延在方向と略直交するように設けられている。当接端面３５の両端のうち、少なくとも一方（本実施形態では、第二隙間３２側）には、隙間の幅よりも大きな幅を有する接触防止用のヌスミ孔３６が設けられている。即ち、第二隙間３２は、当接端面３５側において、第二対向面３４間の距離が大きくなるように形成されている。
【００３１】
チップシュラウド２２の外周面２４には、径方向外周側に向かって突出するとともに、周方向に延在するフィン３８が形成されている。フィン３８は、隣り合うチップシュラウド２２同士で、連続するように形成されている。フィン３８は、板状をなし、その主面が軸方向に直交するように形成されている。
【００３２】
チップシュラウド２２の外周面２４には、第二隙間３２から漏洩する流体である燃焼ガスを低減するための凸部４０が形成されている。凸部４０は、第二対向面３４に沿って延びるように形成されている。具体的には、凸部４０は、第二隙間３２を形成する第二対向面３４に沿うように、タービンロータ１４の回転方向Ｒの最も前方側に形成されている。
【００３３】
図３に示すように、凸部４０は、第二対向面３４と同一面をなす、流体当接面４１と、流体当接面４１の径方向外周端とチップシュラウド２２の外周面２４とを滑らかに接続する傾斜面４２とを有している。凸部４０の径方向高さＨは、第二隙間３２の寸法Ｃに対し最大で５倍程度、好ましくは２倍から３倍程度に設定されている。
【００３４】
図４に示すように、凸部４０の高さは、ヌスミ孔３６近傍がやや高くなるように形成されている。即ち、当接端面３５側において、外周面２４からの突出量が大きくなるように形成されている。なお、凸部４０の高さは、ヌスミ孔３６近傍を高くする必要はなく、延在方向に沿って一定としてもよい。
【００３５】
上記実施形態によれば、チップシュラウド２２の外周側の流体が、凸部４０によって堰き止められ淀みが生じる。これにより、第二隙間３２の径方向外周側の出口において圧力が上昇し、当該箇所を流れる燃焼ガスが流れにくくなる。即ち、第二隙間３２から漏洩する燃焼ガスを低減して、タービン４の効率を向上させることができる。
【００３６】
また、凸部４０を、外周面２４のうちタービンロータ１４の回転方向Ｒの最も前方側に設けたことによって、淀みによる圧力上昇が第二隙間３２の出口の直近で発生し、第二隙間３２から漏洩する燃焼ガスを一層低減できる。
【００３７】
また、凸部４０を、当接端面３５側において外周面２４からの突出量が大きくなるように形成したことによって、凸部４０の形状を最適化することができる。即ち、第二隙間３２の大きさに応じた高さを有する凸部４０とすることができる。
【００３８】
なお、凸部４０の形状は、上述したような形状に限ることはなく、タービン動翼１８の製造方法などに応じて適宜変更することができる。例えば、図５に示すように、チップシュラウド２２の周方向端面２７の一部を径方向外周側に反らせるような形状としてもよい。既存のチップシュラウド２２に対して凸部４０を形成する場合、このような形状が製造上の観点から好ましい。
【００３９】
また、凸部４０の位置は、隙間３２の直近に限ることはない。即ち、凸部４０の流体当接面４１は、対向面３４と同一面上に配置する必要はなく、図６に示すように、対向面３４から離れた位置に配置してもよい。
また、凸部４０は、第二隙間３２側に限らず、第一隙間３１側に形成してもよい。
【００４０】
（第二実施形態）
以下、本発明の第二実施形態のチップシュラウド２２を図面に基づいて説明する。図７は、本発明の第二実施形態の凸部４０Ｂの断面形状を示す、第一実施形態の図３に対応する図である。なお、本実施形態では、上述した第一実施形態との相違点を中心に述べ、同様の部分についてはその説明を省略する。
図７に示すように、本実施形態の凸部４０Ｂは、チップシュラウド２２の外周面２４の回転方向Ｒの最も後方側に設けられている。即ち、凸部４０は、一対の対向面３４のうち、翼本体２１の取り付け位置に近い方の対向面３４に対して連続して形成されている。
【００４１】
また、凸部４０Ｂは、隙間３２の径方向外周側を覆うように形成された庇部４４を有している。庇部４４は、隙間３２の全体を覆うように形成されていてもよいし、隙間３２の少なくとも一部を覆うように形成されていてもよい。換言すれば、庇部４４は、隙間３２を径方向外周から見た場合に、隙間３２の少なくとも一部とオーバーラップするように形成されている。
また、庇部４４の径方向内周面と、外周面２４との間の間隔Ｄは、隙間の寸法Ｃに対し最大で１倍程度に設定されている。
【００４２】
上記実施形態によれば、凸部４０Ｂに庇部４４を形成したことによって、第二隙間３２から漏洩する燃焼ガスが庇部４４に当接する。これにより、漏洩する燃焼ガスを低減することができる。
また、庇部４４を有する凸部４０Ｂが、一対の対向面３４のうち、翼本体２１の取り付け位置に近い方の対向面３４に対して連続して形成されていることにより、遠心力による曲げ荷重の増加を最小限としたチップシュラウド２２を形成することができる。
【００４３】
なお、上記実施形態においては、庇部４４を有する凸部４０を、一対の対向面３４のうち、翼本体２１の取り付け位置に近い方の対向面３４に対して連続して形成したがこれに限ることはない。例えば、図８に示すように、凸部４０Ｂを一対の対向面３４のうち、翼本体２１の取り付け位置から遠い方の対向面３４に対して連続して形成する構成としてもよい。
【００４４】
以上、本発明の実施形態について図面を参照して詳述したが、各実施形態における各構成及びそれらの組み合わせ等は一例であり、本発明の趣旨から逸脱しない範囲内で、構成の付加、省略、置換、及びその他の変更が可能である。また、本発明は実施形態によって限定されることはなく、クレームの範囲によってのみ限定される。
例えば、上記各実施形態では、一つのチップシュラウド２２に、一つのタービン動翼１８を設ける構成としたが、これに限らず、一つのチップシュラウド２２に複数のタービン動翼１８を設ける構成としてもよい。
【符号の説明】
【００４５】
１  ガスタービン
２  圧縮機
３  燃焼器
４  タービン
６  圧縮機ロータ
７  圧縮機ケーシング
８  圧縮機ロータ軸部
９  圧縮機動翼群
１０  圧縮機動翼
１１  圧縮機静翼群
１２  圧縮機静翼
１４  タービンロータ
１５  タービンケーシング
１６  タービンロータ軸部（ロータ本体）
１７  タービン動翼群
１８  タービン動翼（翼本体，動翼体）
１９  タービン静翼群
２０  タービン静翼
２１  翼本体
２２  チップシュラウド（シュラウド、シュラウド本体）
２４  外周面
２５  上流側端面
２６  下流側端面
２７  第一周方向端面
２８  第二周方向端面
３１  第一隙間
３２  第二隙間（クリアランス）
３３  第一対向面
３４  第二対向面
３５  当接端面
３６  ヌスミ孔
３８  フィン
４０  凸部
４１  流体当接面
４２  傾斜面
４４  庇部
Ｃ  第二隙間の寸法
Ｄ  庇部の径方向内周面と外周面との間の間隔
Ｈ  凸部の径方向高さ
Ｆ  燃焼ガス流れ方向
Ｒ  回転方向
【図１】
2015175247.tif 000003
【図２】
2015175247.tif 000004
【図３】
2015175247.tif 000005
【図４】
2015175247.tif 000006
【図５】
2015175247.tif 000007
【図６】
2015175247.tif 000008
【図７】
2015175247.tif 000009
【図８】
2015175247.tif 000010